(57)【要約】【課題】ディジタルカメラで、写真を使った効果的なビジュアルプレゼンテーションが行えるように、音声に対して画像を関連付けて記録再生できるようにする。【解決手段】マイクロホン９でから入力された音声を連続的にメモリカード２７に記録している間に、画像のキャプチャー要求があったら、撮像素子２２からの画像を取り込み、メモリカード２７に記録すると共に、画像を記録したタイミングを示す同期信号を記録する。再生時には、メモリカード２７から読み出された信号中から同期信号を検出し、連続して音声信号を再生している間に、同期信号が検出されたら、対応する画像をメモリカード２７から読み出して再生する。【選択図】        図４
2006005539.tif 000002
【特許請求の範囲】
【請求項１】
撮像素子で撮像された画像信号を記録媒体に記録する画像記録手段と、
入力された音声信号を記録媒体に記録する音声記録手段と、
音声信号を連続的に記録している間に画像のキャプチャー要求があったら、前記撮像素子からの画像を取り込み、前記記録媒体に画像を記録すると共に、前記画像を記録したタイミングを示す同期信号を記録するように制御する制御手段と
を備えるようにしたことを特徴とする画像音声記録装置。
【請求項２】
前記同期信号は、音声信号の下位ビットに記録するようにしたことを特徴とする請求項１に記載の画像音声記録装置。
【請求項３】
前記同期信号は、周波数領域に変換された音声信号の所定の周波数情報に記録するようにしたことを特徴とする請求項１に記載の画像音声記録装置。
【請求項４】
前記同期信号は、音声信号にマルチプレクスして記録するようにしたことを特徴とする請求項１に記載の画像音声記録装置。
【請求項５】
前記前記同期信号は、同期ファイルに記録するようにしたことを特徴とする請求項１に記載の画像音声記録装置。
【請求項６】
前記同期信号は、画像を記録したことを識別するものフラグであることを特徴とする請求項１に記載の画像音声記録装置。
【請求項７】
前記同期信号は、画像を記録したことを識別すると共に、取り込んだ画像のシーケンシャル番号を含むものであることを特徴とする請求項１に記載の画像音声記録装置。
【請求項８】
取り込んだ画像の順番を示すシーケンシャル番号をカウントし、前記シーケンシャル番号を画像ファイル名に含めるようにしたことを特徴とする請求項１に記載の画像音声記録装置。
【請求項９】
記録媒体から読み出された画像信号を再生する画像再生手段と、
前記記録媒体から読み出された音声信号を再生する音声再生手段と、
前記記録媒体から読み出された信号中から同期信号を検出し、音声信号を連続的に再生している間に、前記同期信号が検出されたら、対応する画像を前記記録媒体から読み出して再生するように制御する制御手段と
を備えるようにしたことを特徴とする画像音声再生装置。
【請求項１０】
画像ファイル名には取り込んだ画像の順番を示すシーケンシャル番号が含められており、前記同期信号が検出されたら、前記画像ファイル名に含められるシーケンシャル番号の順番で、前記記録媒体から画像を読み出して再生するようにしたことを特徴とする請求項９に記載の画像音声再生装置。
【請求項１１】
同期信号には取り込んだ画像の順番を示すシーケンシャル番号が含められており、前記同期信号が検出されたら、前記同期信号から得られたシーケンシャル番号の順番で、前記記録媒体から画像を読み出して再生するようにしたことを特徴とする請求項９に記載の画像音声再生装置。
【発明の詳細な説明】
【技術分野】
【０００１】
本発明は、特に、写真を使った効果的なビジュアルプレゼンテーションを行うのに好適な画像音声記録装置及び再生装置に関する。
【背景技術】
【０００２】
写真を効果的に使ったビジュアルプレゼンテーションは、聴き手にプレゼンテーションの内容に対する興味を抱かせ、伝えたい情報を正確且つ効果的に提供するのに重要である。例えば、製品開発を行っているエンジニアがプレゼンテーションを行う場合には、製品開発に至った背景を説明しながら、実験装置や試作品の写真を見せることで、開発過程で起こった問題点や、それに対する改善点を、効果的に伝えることができる。このような写真を使ったビジュアルプレゼンテーションの素材を作成するために、従来では、ビデオカメラが使われている。
【０００３】
また、ディジタルスチルカメラの中には、例えば特許文献１に示すように、動画記録や音声記録が行えるものがある。このようなディジタルカメラを使って、写真を使ったプレゼンテーションを作成することが考えられる。
【特許文献１】特開２００４−１５３４２９号公報
【発明の開示】
【発明が解決しようとする課題】
【０００４】
しかしながら、プレゼンテーションに使用する写真は静止画像であるのに対して、ビデオカメラは動画撮影を行うものである。このため、ビデオカメラを使って写真を用いたプレゼンテーションの素材を作成すると、動画記録と同じだけのデータ量が使われることになり、記録容量が無駄になる。また、写真を使ったプレゼンテーションをビデオカメラで撮影する場合には、静止している写真を動画として撮影することになるので、三脚等でカメラをしっかりと固定して撮影を行い、通常再生でも画像がぶれないように、撮影を行う必要がある。更に、ビデオカメラでは、テレビジョン画面上に動画を再生させるという制約から、スチルカメラに比べて、静止画の解像度が良くない。
【０００５】
一方、ディジタルスチルカメラでは、撮影した画像に対するコメントを音声で残せるものがある。このような機能は、音声メモと呼ばれている。この音声メモを利用して、写真を使ったプレゼンテーションの素材を作成することが考えられる。
【０００６】
ところが、音声メモは、撮影した画像に対して音声を関連させて記録を行うものである。これに対して、プレゼンテーションの場合には、音声による連続した説明の中で、音声に対して画像を関連させて記録していく必要がある。音声メモでは、このように音声に対して画像を関連付けて記録していくことはできない。
【０００７】
本発明は、上述の課題を鑑み、写真を使った効果的なビジュアルプレゼンテーションが行えるように、音声に対して画像を関連付けて記録再生できるようにした画像音声記録装置及び再生装置を提供することを目的とするものである。
【課題を解決するための手段】
【０００８】
上述の課題を解決するために、請求項１に係わる発明は、撮像素子で撮像された画像信号を記録媒体に記録する画像記録手段と、入力された音声信号を記録媒体に記録する音声記録手段と、音声信号を連続的に記録している間に画像のキャプチャー要求があったら、撮像素子からの画像を取り込み、記録媒体に画像を記録すると共に、画像を記録したタイミングを示す同期信号を記録するように制御する制御手段とを備えるようにしたことを特徴とする。
【０００９】
請求項２に係わる発明では、同期信号は、音声信号の下位ビットに記録するようにしたことを特徴とする。
【００１０】
請求項３に係わる発明では、同期信号は、周波数領域に変換された音声信号の所定の周波数情報に記録するようにしたことを特徴とする。
【００１１】
請求項４に係わる発明では、同期信号は、音声信号にマルチプレクスして記録するようにしたことを特徴とする。
【００１２】
請求項５に係わる発明では、同期信号は、同期ファイルに記録するようにしたことを特徴とする。
【００１３】
請求項６に係わる発明では同期信号は、画像を記録したことを識別するものフラグであることを特徴とする。
【００１４】
請求項７に係わる発明では、同期信号は、画像を記録したことを識別すると共に、取り込んだ画像のシーケンシャル番号を含むものであることを特徴とする。
【００１５】
請求項８に係わる発明では、取り込んだ画像の順番を示すシーケンシャル番号をカウントし、シーケンシャル番号を画像ファイル名に含めるようにしたことを特徴とする。
【００１６】
請求項９に係わる発明は、記録媒体から読み出された画像信号を再生する画像再生手段と、記録媒体から読み出された音声信号を再生する音声再生手段と、記録媒体から読み出された信号中から同期信号を検出し、音声信号を連続的に再生している間に、同期信号が検出されたら、対応する画像を記録媒体から読み出して再生するように制御する制御手段とを備えるようにしたことを特徴とする。
【００１７】
請求項１０に係わる発明では、画像ファイル名には取り込んだ画像の順番を示すシーケンシャル番号が含められており、同期信号が検出されたら、画像ファイル名に含められたシーケンシャル番号の順番で、記録媒体から画像を読み出して再生するようにしたことを特徴とする。
【００１８】
請求項１１に係わる発明では、同期信号には取り込んだ画像の順番を示すシーケンシャル番号が含められており、同期信号が検出されたら、同期信号から得られたシーケンシャル番号の順番で、記録媒体から画像を読み出して再生するようにしたことを特徴とする。
【発明の効果】
【００１９】
本発明によれば、プレゼンテーションレコーディングモードに設定して記録を行うと、音声信号が連続的に記録されている間に画像のキャプチャー要求があると、撮像素子からの画像が取り込まれ、記録媒体に画像が記録されると共に、画像を記録したタイミングを示す同期信号が記録される。そして、再生時には、音声信号が連続的に再生されている間に、同期信号が検出されると、対応する画像が記録媒体から読み出されて再生される。このように、本発明では、プレゼンテーションレコーディングモードに設定すると、音声による連続した説明の中で、音声に対して画像を関連させて記録させることができる。このような機能を利用して、写真を効果的に使ったビジュアルプレゼンテーションを行うことができる。
【発明を実施するための最良の形態】
【００２０】
以下、本発明の実施形態について図面を参照しながら説明する。
１．ディジタルカメラの外観構成．
図１（Ａ）及び図１（Ｂ）は、本発明が適用されたディジタルカメラの正面図及び背面図である。図１（Ａ）に示すように、カメラボディ１の前面１ａには、レンズ鏡筒２と、光学ファインダ３と、ストロボ発光部４が設けられる。また、カメラボディ１の上側面１ｂには、シャッターキー５が設けられる。
【００２１】
カメラボディ１の背面１ｃには、図１（Ｂ）に示すように、光学ファインダ３と、ＬＣＤ(Liquid Crystal Display)ディスプレイ６と、操作部７と、音声再生用のスピーカ８と、録音用のマイクロホン９とが設けられている。マイクロホン９は、カメラボディ１の背面１ｃに対して回動自在の取り付けられており、録音時のみ、カメラボディ１からマイクロホン９を倒立させ、不使用時には、マイクロホン９を折り畳んでおくことができる。
【００２２】
本発明が適用されたディジタルカメラでは、通常撮影モードの他に、プレゼンテーションレコーディングモードが設定できる。プレゼンテーションレコーディングモードでは、マイクロホン９から入力される音声信号が連続的に記録され、その間に、シャッターキー５が押されると、そのときの画像が音声と関連して記録される。モードの設定は、操作部７を操作することにより行うことができる。
【００２３】
また、プレゼンテーションレコーディングーモードに設定して再生した場合には、録画した音声が連続して再生されていき、その音声に関連して記録された画像があると、そのタイミングで、画像が再生される。
【００２４】
つまり、プレゼンテーションレコーディングモードでは、図２（Ａ）に示すように、連続した音声が入力されると、その音声が連続して記録される。このように連続した音声の記録を行いながら、図２（Ｂ）に示すように、時点ｔ１でシャッターキー５が押されると、そのときの画像Ｐ１（図２（Ｃ））が音声と関連して記録される。そして、時点ｔ２でシャッターキー５が押されると、そのときの画像Ｐ２が音声と関連して記録され、時点ｔ３でシャッターキー５が押されると、そのときの画像Ｐ３が音声と関連して記録される。画像を記録するときには、後に説明するように、画像を記録したタイミングを示す同期信号が記録される。
【００２５】
再生時には、図３（Ａ）に示すように、音声が連続して再生される。そして、図３（Ｂ）に示すように時点ｔ１になると、その音声に対応する画像Ｐ１（図３（Ｃ））が映し出され、時点ｔ２になると、その音声に対応する画像Ｐ２が映し出され、時点ｔ３になると、その音声に対応する画像Ｐ３が映し出される。画像を再生するタイミングは、同期信号により検出される。
【００２６】
このように、本発明が適用されたディジタルカメラでは、プレゼンテーションレコーディングモードに設定すると、音声による連続した説明の中で、音声に対して画像を関連させて記録させることができる。このような機能を利用して、写真を効果的に使ったビジュアルプレゼンテーションを行うことができる。
【００２７】
２．ディジタルカメラの内部構成．
図４は、本発明が適用されたディジタルカメラの内部構成を示すブロック図である。図４において、光学系２１は、レンズやアイリス等の光学系の素子から構成される。光学系２１を介された被写体像光が撮像素子２２の受光面に結像される。なお、小型、軽量化を図ったカメラでは、レンズとして単焦点のものが用いられる。一般的なものでは、レンズにオートフォーカス機構が備えられている。また、レンズ部には、光学ズーム機構が備えられたものもある。
【００２８】
撮像素子２２は、その受光面に結像された被写体像光を光電変換する。撮像素子２２としては、ＣＣＤ(Charge Coupled Device)  撮像素子や、ＣＭＯＳ(Complementary MOS)撮像素子が用いられる。撮像素子の前面には、色フィルタが配列されている。色フィルタの配列の構成としては、Ｒ（赤）、Ｇ（碧）、Ｂ（青）の原色系フィルタを用いる場合と、Ｃｙ（シアン）、Ｍｇ（マゼンタ）、Ｙｅ（黄色）の補色系フィルタを用いる場合とがある。
【００２９】
撮影時には、撮像素子２２で１フレーム分の画像が取り込まれる。撮像素子２２の出力が、サンプルホールド及びＡＧＣ(Automatic Gain Control)回路２３を介してＡ／Ｄ(Analog to Digital)コンバータ２４に供給され、Ａ／Ｄコンバータ２４でディジタル化される。Ａ／Ｄコンバータ２４の出力信号が画像信号処理回路２５に供給される。
【００３０】
画像信号処理回路２５は、撮像素子２２からの撮像信号に対して、色温度調整、ガンマ補正、エッジ強調等の画像処理を行う。また、画像信号処理回路２５は、画像データの解像度を指定された解像度に変換し、画像データを圧縮符号化する処理を行う。画像データの圧縮方式としては、例えば、ＪＰＥＧ(Joint Photographic Experts Group)が用いられる。ＪＰＥＧはＤＣＴ(Discrete Cosine Transform)を用いて画像圧縮するためのＩＳＯ(International Organization for Standardization)／ＩＴＵ(International Telecommunication Union)規格である。なお、画像データの圧縮方式は、ＪＰＥＧに限定されるものではない。また、画像データを圧縮せずに記録するようにしてもよい。
【００３１】
圧縮符号化された画像信号は、メモリコントローラ２６を介して、メモリカード２７に供給され、画像ファイルとして、メモリカード２７に記録される。メモリカード２７は、フラッシュメモリを使ったカード型の着脱自在のメモリである。なお、この例では、記録媒体としてメモリカードを使っているが、これに限定されるものではない。内蔵の不揮発メモリに記録したり、磁気テープや磁気ディスク、光ディスク等に記録したりしてもよい。
【００３２】
画像の再生時には、メモリカード２７の画像ファイルがオープンされ、画像データが読み出される。メモリカード２７から読み出された画像データは、画像信号処理回路２５に送られる。画像信号処理回路２５で画像の伸長処理が行われ、画像信号がデコードされる。デコードされた画像信号がＬＣＤドライバ３３を介してＬＣＤディスプレイ６に供給され、ＬＣＤディスプレイ６に再生画像が映出される。
【００３３】
なお、ＬＣＤディスプレイ６は、撮影時には電子ビューファインダ等として利用される。また、このＬＣＤディスプレイには、各種の設定状態や動作状態が表示される。
【００３４】
音声の記録時には、マイクロホン９からの音声信号がＡ／Ｄコンバータ３１に供給され、Ａ／Ｄコンバータ３１で音声信号がディジタル化される。このディジタル音声信号がエンコーダ３２に供給される。エンコーダ３２で、音声信号が圧縮符号化される。音声データの圧縮方式としては、ＭＰ３(MPEG1 Audio Layer-3)が用いられる。なお、音声データの圧縮方式は、ＭＰ３に限定されるものではない。また、音声データを圧縮せずに記録するようにしてもよい。圧縮された音声信号は、メモリコントローラ２６を介して、メモリカード２７に送られ、音声ファイルとしてメモリカード２７に記録される。
【００３５】
音声の再生時には、メモリカード２７の音声ファイルがオープンされ、音声データが読み出される。メモリカード２７から読み出された音声データは、デコーダ３５に送られる。デコーダ３５で、音声の伸長処理が行われ、音声信号がデコードされる。デコードされた音声信号は、Ｄ／Ａコンバータ３６でアナログ信号に変換され、スピーカ８から出力される。
【００３６】
ＣＰＵ(Central Processing Unit)４１は、ディジタルカメラ全体の制御を行っている。ＣＰＵ４１に対して入力ユニット４２が設けられる。入力ユニット４２はユーザからの入力を受け付けるもので、シャッターキー５や操作部７に配列されるキーを含んでいる。ＲＯＭ４４には制御プログラムが格納されている。ＲＡＭ４３は、作業領域として用いられる。
【００３７】
本発明が適用されたディジタルカメラでは、通常の撮影モードの他に、プレゼンテーションレコーディングモードが設定できる。プレゼンテーションレコーディングモードでは、マイクロホン９から入力される音声信号がメモリカード２７に連続して記録される。録音の開始は、プレゼンテーションレコーディングモードの開始と同時でもよいし、別のユーザインターフェースを設けて開始を指示するようにしてもよい。プレゼンテーションレコーディングモードに設定されると、マイクロホン９から入力される音声信号が連続して記録されている間に、シャッターキー５が押されると、キャプチャー要求が発生され、撮像素子２２からの画像が取り込まれてメモリカード２７に記録されると共に、画像を記録したタイミングを示す同期信号が発生され、同期信号が記録される。この同期信号により、音声に関連する画像が記録されていることが分かる。
【００３８】
再生時には、メモリカード２７から音声ファイルがオープンされ、音声が連続して再生されていく。連続した音声の再生に間に、同期信号の検出が行われる。同期信号が検出された場合には、そのタイミングで、メモリカード２７からその画像が読み出されて再生される。
【００３９】
３．同期信号について．
上述のように、本発明が適用されたディジタルカメラでは、プレゼンテーションレコーディングモードに設定されると、録音の間にシャッターキー５が押されると、撮像素子２２からの画像が取り込まれてメモリカード２７に記録されると共に、画像を記録したタイミングを示す同期信号が発生される。この同期信号について、以下に説明する。
【００４０】
同期信号は、画像を記録したタイミングを識別するためのものであり、最も簡単には、１ビットのフラグでよい。また、同期信号に、画像を記録したタイミングを識別すると共に、例えば画像ファイルのシーケンシャル番号を記録しておくようにしてもよい。更に、同期信号に種々の情報を記録するようにしてもよい。
【００４１】
同期信号の記録方法としては、以下のものが考えられる。
（１）音声信号の下位ビットに同期信号を記録する。
（２）周波数領域に変換された音声信号の所定の周波数情報に同期信号を記録する。
（３）音声信号と同期信号とをマルチプレクスして記録する。
（４）同期用の別ファイルを設け、この同期用の別ファイルに同期信号を記録する。
【００４２】
図５は、音声信号の下位ビットに同期信号を記録するものである。図５に示すように、音声信号をディジタル化するＡ／Ｄコンバータ３１の出力は、エンコーダ３２に送られる。このとき、Ａ／Ｄコンバータ３１の最下位ビットの出力を用いずに、その代わり、スイッチ回路５０の出力をエンコーダ３２に供給する。スイッチ回路５０は、通常時には、例えばＬレベルに設定され、画像を記録するタイミングでＨレベルに設定される。これにより、音声信号の最下位ビットが同期信号となる。再生時には、音声信号の最下位ビットを検出することで、同期信号が検出される。
【００４３】
図６は、周波数領域に変換された音声信号の所定の周波数情報に同期信号を記録する方法を示すものである。例えば、音声信号を記録する場合には、エンコーダ３２で音声信号が圧縮符号化される。音声信号の圧縮符号化する場合、例えば、図６に示すように、ＤＣＴ(Discrete Cosine Transform)変換回路５１により、時間領域の信号ＴＤが周波数領域の信号ＦＤに変換される。この周波数領域に変換された信号ＦＤ中の所定のデータが同期信号として使用される。再生時には、所定の周波数領域のデータを検出することで、同期信号が検出される。
【００４４】
図７は、音声信号と同期信号とをマルチプレクスして記録する方法を示すものである。図７に示すように、特定のパターンの同期信号を発生する同期信号発生回路５２が設けられると共に、Ａ／Ｄコンバータ３１の出力と、同期信号発生回路５２の出力とを多重化してエンコーダ３２に供給するマルチプレクサ５３が設けられる。通常記録時には、Ａ／Ｄコンバータ３１からの音声信号がエンコーダ３２に供給される。画像を記録するタイミングで、同期信号発生回路５２から同期信号が発生され、Ａ／Ｄコンバータ３１からの音声信号と、同期信号発生回路５２からの同期信号とが多重化されてエンコーダ３２に供給される。再生時には、所定のパターンの信号を検出することで、同期信号が検出される。
【００４５】
図８は、同期用の別ファイルを設ける方法を示すものである。音声ファイルや画像ファイルとは別に、同期信号を記録するための同期ファイル５５が設けられる。この同期ファイル５５には、図８に示すように、画像を記録したタイミングを示すタイムコード５６が記録される。なお、同期ファイル５５には、画像を記録したタイミングを示すタイムコード５６と共に、画像ファイルのファイル名やシーケンシャル番号を記録してもよい。再生時には、この同期ファイル５５をオープンすることで、タイムコード５６から画像を記録したタイミングが検出される。
【００４６】
図５に示した音声信号の下位ビットに同期信号を記録する方法は、音声の記録フォーマットにかかわらず、同期信号を記録することができる。下位ビットの情報が捨てられているので、音質が劣化することになるが、最下位ビットのみ用いた場合には、音質の劣化は僅かであり、聴感上、殆ど問題は生じない。
【００４７】
図６に示した周波数領域に変換された音声信号の所定の周波数情報に同期信号を記録する方法では、特定の周波数情報が捨てられるので、音質に影響が生じる。この場合、高周波領域の信号を同期信号として使うと、聴感上の問題が生じにくい。
【００４８】
なお、上述のようにして、音声ファイルに同期信号を記録した場合には、そのファイルがプレゼンテーションレコーディングモードで記録されたことを示すマーカーを付けるようにしてもよい。マーカーは、例えば、ファイルヘッダに書き込むことが考えられる。また、特殊なファイル名や識別子を与えるようにしてもよい。また、同期信号の記録方法は、これに限らず、他の方法を用いてもよい。
【００４９】
４．同期信号としてフラグを用いた場合の動作説明．
図９は、プレゼンテーションレコーディングモードに設定して、記録を行ったときの処理の一例を示すフローチャートである。この例では、同期信号として、画像を記録したタイミングを識別するためのフラグが用いられる。
【００５０】
図９において、プレゼンテーションレコーディングモードでの記録開始が指示されると（ステップＳ１）、画像ファイルのシーケンシャル番号Ｎが「１」に初期化される（ステップＳ２）。そして、音声ファイルが作成される（ステップＳ３）。このときの音声ファイルのファイル名は、どのようなファイル名であってもよい。通常、ＭＰ３で圧縮された音声ファイルなら、拡張子として、「ＭＰ３」が付加される。そして、マイクロホン９からの音声が録音される（ステップＳ４）。
【００５１】
録音を行っている間に、キャプチャー要求があるかどうかが判断される（ステップＳ５）。キャプチャー要求は、録音を継続している間に、シャッターキー５が押されると発生する。キャプチャー要求がなければ、プレゼンテーションレコーディングモードでの記録終了が指示されたかどうかが判断され（ステップＳ６）、プレゼンテーションレコーディングモードの終了が指示されなければ、ステップＳ４に戻り、録音が継続される。
【００５２】
プレゼンテーションレコーディングモードでは、ユーザは、プレゼンテーションの音声を録音しながら、その音声の説明に関連して、シャッターキー５を押して、画像の取り込みを行う。録音を継続している間に、シャッターキー５が押されると、ステップＳ５でキャプチャー要求があると判断される。
【００５３】
ステップＳ５で、キャプチャー要求があったと判断されると、画像ファイルが作成される（ステップＳ７）。このとき、画像ファイルのファイル名は、音声ファイルと関連して決められる。また、画像ファイルのファイル名には、画像ファイルのシーケンシャル番号Ｎが含められる。また、通常、ＪＰＥＧで圧縮された画像ファイルなら、拡張子として、「ＪＰＧ」が付加される。
【００５４】
画像ファイルが作成されると、画像を記録したタイミングを示す同期信号が記録される（ステップＳ８）。同期信号は、音声データと画像を取り込んだタイミングとを関連付けるものであり、例えば１ビットのフラグでよい。そして、撮像素子２２からの１フレーム分の撮像信号が取り込まれ、この撮像信号が圧縮符号化されて記録される（ステップＳ９）。画像の記録が完了したら、ファイル番号Ｎがインクリメントされる（ステップＳ１０）。そして、ステップＳ４にリターンされ、録音が継続される。
【００５５】
以上のような処理により、キャプチャー要求が起こる毎に、画像が取り込まれて記録されると共に、同期信号が記録され、その画像ファイルのファイル名には、画像を取り込んだ順番を示すシーケンシャル番号Ｎが付加される。
【００５６】
プレゼンテーションレコーディングモードでの記録を終了する場合には、ユーザは、操作部７を操作して、プレゼンテーションレコーディングモードの終了を指示する。プレゼンテーションレコーディングモードの終了が指示されると、ステップＳ６で、プレゼンテーションレコーディングモードの終了が検出され、プレゼンテーションレコーディングモードでの記録が終了する。
【００５７】
図１０は、プレゼンテーションレコーディングモードで記録を行った場合に、メモリカード２７に残されるファイルを示すものである。図１０に示すように、プレゼンテーションレコーディングモードで記録されると、音声ファイル６１（ＡＢＣＤ．ＭＰ３）が残される。また、取り込まれた複数の画像ファイル６２ａ、６２ｂ、６２ｃが残される。音声ファイル６１のファイル名が例えば「ＡＢＣＤ．ＭＰ３」であれば、画像ファイル６２ａ、６２ｂ、６２ｃのファイル名はこれに関連したものになり、シーケンシャル番号が含められ、例えば「ＡＢＣＤ＿００１．ＪＰＧ」、「ＡＢＣＤ＿００２．ＪＰＧ」、「ＡＢＣＤ＿００３．ＪＰＧ」となる。
【００５８】
図１１は、プレゼンテーションレコーディングモードでの再生処理を示すものである。  図１１において、再生開始が指示されると（ステップＳ２１）、シーケンシャル番号Ｎが初期化される（ステップＳ２２）。そして、メモリカード２７から音声ファイルがオープンされ（ステップＳ２３）、音声が再生される（ステップＳ２４）。例えば、メモリカード２７に、図１０に示すようなファイルが記録されている場合には、音声ファイル６１の「ＡＢＣＤ．ＭＰ３」がオープンされ、この音声が再生される。
【００５９】
そして、同期信号が検出されるかどうかが判断される（ステップＳ２５）。ステップＳ２５で、同期信号が検出されたら、ファイル名にシーケンシャル番号Ｎを含む画像ファイルがオープンされる（ステップＳ２６）。すなわち、例えば、メモリカード２７に、図１０に示すようなファイルが記録されている場合には、最初に、画像ファイル６２ａの「ＡＢＣ＿００１．ＪＰＧ」のファイル名の画像ファイルがオープンされる。そして、この画像が再生される（ステップＳ２７）。そして、シーケンシャル番号Ｎがインクリメントされ（ステップＳ２８）、ステップＳ２４にリターンされ、音声の再生が継続される。
【００６０】
以下、同様に、音声の再生が継続されている間に、ステップＳ２５で同期信号が検出されるかどうかが判断され、同期信号が検出されると、ステップＳ２６でＮ番目のファイル名の画像ファイルがオープンされ、ステップＳ２７でその画像が再生され、ステップＳ２８でシーケンシャル番号Ｎがインクリメントされ、ステップＳ２４にリターンされる。これにより、同期信号が検出されるタイミングで、ファイル番号Ｎの順に、画像（ＡＢＣＤ＿００１．ＪＰＧ、ＡＢＣＤ＿００２．ＪＰＧ、ＡＢＣＤ＿００３．ＪＰＧ、…）が順次再生されていく。
【００６１】
再生を終了する場合には、ユーザは、操作部７を操作して、再生の終了を指示する。再生の終了が指示されると、ステップＳ２９で、再生終了が検出され、プレゼンテーションレコーディングモードでの再生が終了する。
【００６２】
５．同期信号にシーケンシャル番号を含めた場合の動作説明．
図１２は、プレゼンテーションレコーディングモードに設定して、記録を行ったときの処理の他の例を示すフローチャートである。この例では、同期信号として、画像ファイルのシーケンシャル番号を含むものが用いられる。
【００６３】
図１２において、プレゼンテーションレコーディングモードでの記録が指示されると（ステップＳ５１）、画像ファイルのシーケンシャル番号Ｎが「１」に初期化される（ステップＳ５２）。そして、音声ファイルが作成される（ステップＳ５３）。そして、マイクロホン９から音声が録音される（ステップＳ５４）。
【００６４】
録音を行っている間に、キャプチャー要求があるかどうかが判断される（ステップＳ５５）。キャプチャー要求は、録音を継続している間に、シャッターキー５が押されると発生する。キャプチャー要求がなければ、プレゼンテーションレコーディングモードの終了が指示されたかどうかが判断され（ステップＳ５６）、プレゼンテーションレコーディングモードの終了が指示されなければ、ステップＳ５４に戻り、録音が継続される。
【００６５】
プレゼンテーションレコーディングモードでは、ユーザは、プレゼンテーションの音声を録音しながら、その音声の説明に関連して、シャッターキー５を押して、画像の取り込みを行う。録音を継続している間に、シャッターキー５が押されると、ステップＳ５５でキャプチャー要求があると判断される。
【００６６】
ステップＳ５５で、キャプチャー要求があったと判断されると、画像ファイルが作成される（ステップＳ５７）。このとき、画像ファイルのファイル名には、シーケンシャル番号Ｎが含められる。また、通常、ＪＰＥＧで圧縮された画像ファイルなら、拡張子として、「ＪＰＧ」が付加される。
【００６７】
画像ファイルが作成されると、画像を記録したタイミングを示す同期信号が音声データ中に記録される（ステップＳ５８）。この同期信号中には、画像ファイルのシーケンシャル番号Ｎが含められる。そして、撮像素子２２からの１フレーム分の撮像信号が取り込まれ、この撮像信号が圧縮符号化されて記録される（ステップＳ５９）。画像の記録が完了したら、ファイル番号Ｎがインクリメントされる（ステップＳ６０）。そして、ステップＳ５３にリターンされ、録音が継続される。
【００６８】
以上のような処理により、キャプチャー要求が起こる毎に、画像が取り込まれて記録されると共に、同期信号が記録され、この同期信号には、画像を取り込んだ順番を示すシーケンシャル番号が含められる。
【００６９】
プレゼンテーションレコーディングモードでの記録を終了する場合には、ユーザは、操作部７を操作して、プレゼンテーションレコーディングモードの終了を指示する。プレゼンテーションレコーディングモードの終了が指示されると、ステップＳ５６で、プレゼンテーションレコーディングモードの終了が検出され、プレゼンテーションレコーディングモードでの記録が終了する。
【００７０】
図１３は、プレゼンテーションレコーディングモードでの再生処理を示すものである。図１３において、再生開始が指示されると（ステップＳ７１）、メモリカード２７から音声ファイルがオープンされ（ステップＳ７２）、音声が再生される（ステップＳ７３）。
【００７１】
そして、音声の再生中に、同期信号が検出されるかどうかが判断される（ステップＳ７４）。ステップＳ７４で、同期信号が検出されたら、同期信号中からシーケンシャル番号Ｎが抽出され（ステップＳ７５）、抽出されたシーケンシャル番号Ｎの画像ファイルがオープンされ（ステップＳ７６）、画像が再生される（ステップＳ７７）。そして、ステップＳ７３にリターンされ、音声の再生が継続される。
【００７２】
以下、同様に、音声の再生が継続されている間に、ステップＳ７４で同期信号が検出されるかどうかが判断され、同期信号が検出されると、ステップＳ７５で同期信号からシーケンシャル番号Ｎが抽出され、ステップＳ７６で、Ｎ番目のファイル名の画像ファイルがオープンされ、ステップＳ７７でその画像が再生され、ステップＳ７３にリターンされる。これにより、同期信号が検出されるタイミングで、ファイル番号Ｎの順に、画像が順次再生されていく。
【００７３】
再生を終了する場合には、ユーザは、操作部７を操作して、再生の終了を指示する。再生の終了が指示されると、ステップＳ７８で、再生終了が検出され、プレゼンテーションレコーディングモードでの再生が終了する。
【００７４】
本発明は、上述した実施形態に限定されるものではなく、本発明の要旨を逸脱しない範囲内で様々な変形や応用が可能である。また、本発明に係わるはプレゼンテーションレコーディングモードは、ディジタルカメラばかりでなく、ビデオカメラに設けるようにしてもよい。
【産業上の利用可能性】
【００７５】
本発明は、特に、ディジタルカメラを使って、写真を用いた効果的なビジュアルプレゼンテーションの素材を作成するのに用いて好適である。
【図面の簡単な説明】
【００７６】
【図１】本発明が適用されたディジタルカメラの正面図及び背面図である。
【図２】本発明が適用されたディジタルカメラの記録時の説明に用いるタイミング図である。
【図３】本発明が適用されたディジタルカメラの再生時の説明に用いるタイミング図である。
【図４】本発明が適用されたディジタルカメラの内部構成を示すブロック図である。
【図５】同期信号の記録の一例を示すブロック図である。
【図６】同期信号の記録の他の例を示すブロック図である。
【図７】同期信号の記録の更に他の例を示すブロック図である。
【図８】同期信号の記録の更に他の例を示す図である。
【図９】プレゼンテーションレコーディングモードでの記録の一例の説明に用いるフローチャートである。
【図１０】ファイルの説明に用いる図である。
【図１１】プレゼンテーションレコーディングモードでの再生の一例の説明に用いるフローチャートである。
【図１２】プレゼンテーションレコーディングモードでの記録の他の例の説明に用いるフローチャートである。
【図１３】プレゼンテーションレコーディングモードでの再生の他の例の説明に用いるフローチャートである。
【符号の説明】
【００７７】
１  カメラボディ
２  レンズ鏡筒
３  光学ファインダ
４  ストロボ発光部
５  シャッターキー
６  ＬＣＤディスプレイ
７  操作部
８  スピーカ
９  マイクロホン
２１  光学系
２２  撮像素子
２５  画像信号処理回路
２７  メモリカード
３２  エンコーダ
３５  デコーダ
４２  入力ユニット
【図１】
2006005539.tif 000003
【図２】
2006005539.tif 000004
【図３】
2006005539.tif 000005
【図４】
2006005539.tif 000006
【図５】
2006005539.tif 000007
【図６】
2006005539.tif 000008
【図７】
2006005539.tif 000009
【図８】
2006005539.tif 000010
【図９】
2006005539.tif 000011
【図１０】
2006005539.tif 000012
【図１１】
2006005539.tif 000013
【図１２】
2006005539.tif 000014
【図１３】
2006005539.tif 000015